(57)【要約】【課題】グリップ部と支柱上部とを簡単に、また、安全に取付け取り外しを行う事が出来る様にしたものである。なおかつ、カメラまたは雲台を取付ける事が出来、カメラ用１脚として使用出来る様にしたものであり、その他、歩行時、特に登山等においては非常小物入れとして利用できる多用途に使用出来るステッキに関するものである【解決手段】グリップ部２支柱上部３との間に衝撃吸収用スプリング７を配設し、互いに挿入組合せ、止め具１４で保持を行う。また、互いの組合せを分離した時は、支柱上部３に、カメラまたは雲台を取り付けることが出来る受台９を設ける。その他、支柱上部３の内側に筒１７を取付け固定し小物入れを設けるようにしたものである。【選択図】        図１
2004254951.tif 000002
【特許請求の範囲】
【請求項１】
グリップ部２の外管５上部と支柱上部３の受台９との間に、過重のかかる軸方向にスプリング７を配設し、外管５の案内キー１０と内管６の案内溝１１を介して挿入し、止め具１４で外れ止めを行い。また、止め具１４を押す事により、グリップ部２と支柱上部３を取り外す事が出来る衝撃吸収および組合せ装置
【請求項２】
請求項１において、カメラおよび雲台を取り付ける事の出来る受台９を備える衝撃吸収および組合せ機能装置
【請求項３】
請求項１および請求項２において、支柱上部３の内側で受台９の下側に筒１７を設け、小物入れを備えた衝撃吸収および組合せ機能装置
【請求項４】
請求項１、請求項２および請求項３において、ステッキ１の先端で、突石部２１の突石２７とゴム止め金具２８を一体に取付け、これを覆う様にして突石ゴム２９とこの中に突石受け３０を取付け備えた衝撃吸収および組合せ機能装置
【発明の詳細な説明】
【０００１】
【発明が属する技術分野】
本発明は、ステッキとして使用時、衝撃吸収や、グリップ部と支柱の分離およびカメラ取付けや、小物入れを備えたステッキに関するものである。
【０００２】
【従来の技術】
従来、ステッキに衝撃吸収装置を備えたものは、特開２００２−３３６０１７や特開平１０−９４４０８等に見られるが、これらは支柱内に組込まれ、簡単に、グリップ部と支柱部分を分離出来ず、従って、機構上、他の用途のものを付加し、備える事が出来ないものが多かった。
また、特開２００２−３３６０１７や特開平１０−９４４０８および特開平１０−２９５４２３等に見られるが、グリップ部と支柱部分をボルト等でネジ止めして組込まれている、従って、ステッキに軸を中心に回転方向に荷重が加わった時、ネジ止めの緩みや、特に登山時に用いた時はグリップが廻り危険が伴う恐れがある。
ステッキにカメラまたは雲台を取付けられるようにしたものは、特開２００２−３０３９２９では、グリップ上に取り付けられており、ステッキとして使用するときネジ止め部分がグリップの掴み易さを損ねる、また、取り付け取り外しの不便さと雲台等を取付ける事が出来ない。
特開平１０−２９５４２３では、ステッキしては登山用としては良いが、一般に使うステッキとしては、グリップが掴みのくい欠点がある。
【０００３】
【発明が解決しようとする課題】
本発明は、常時、使用する人のとっては、ステッキのみに留まらず、他の機能を備え、少しでも多くの用途に安全で使用できるようにする事である。
【０００４】
【課題を解決するための手段】
上記、問題を解決する為に、グリップ部と支柱上部は、分離できる様にし、ステッキ使用時は、グリップ部はステッキの軸方向に荷重が加わった時、これを吸収するために外管の上部に衝撃吸収用のスプリングを軸方向に取付け、外管の中程には案内キーと、内管上部には縦の案内溝を各々設ける。
また、内管の下側には止め具と、外管にはグリップに荷重がかかり、支柱の軸方向に可動した場合、止め具の妨害にならない様にスライド用溝を成形する。止め具は２箇所以上取り付ければ安全に外れ止めを行う事ができる。
【０００５】
一方、支柱上部内管には、管の内側上部に筒を配設し、衝撃用スプリングの受けと筒の小物入れの蓋を兼ねる受台を取り付ける。受台の上部には、カメラまたは雲台として利用できるボルトを配設する。これにより、グリップ部と支柱上部を分離して使用する時は、受台のボルトにカメラまたは雲台を取付け、カメラ用１脚として使用できる。
また、筒は小物入れとして使用し、蓋は受台を用いる。この利用は、特に登山時において非常用小物入れとして使用できる特徴がある。
【０００６】
【発明の実施の形態】
本発明は、ステッキのグリップ部と支柱上部の挿入組合せ、または、取り外しによる装置である。
発明の実地の形態を実地例にもとづき図面を参照して説明する。
図２の２に示す如く、グリップ部２は、グリップ４と下側に外管５を一体成形し、外管５の上部中側にスプリング７の座りを良くする為に案内筒１８と衝撃吸収用スプリング７および座金１８を外管５の軸方向に順次取付ける。
また、外管５の内面中程に管の中心方向に向かって案内キー１０を設け、その下側には、ステッキに荷重が加わってグリップ部２が可動しても止め具１４の妨害にならない様にスライド用溝１２を設ける。
グリップ４の後部下には、受台９の取付けまたは取り外しの為の受台回し治具１９を成形し、その上部にステッキを紐で補助的に保持できる紐取付け穴２０を成形する。
図２の３−１、３−２に示す如く、支柱上部３は、内管６上内側に筒１７を嵌めこみ固定する。その上端に受台９の取付つけ用メネジを作る。このメネジに取付けられる様、受台９の下側にオネジを、上側にはカメラまたは雲台を取付ける事の出来るオネジをそれぞれ設ける。
内管６の上部外側には、グリップ部２の外管５と支柱上部３の内管６が挿入組合わされた時、外管５のスライド用溝１２の所に止め具１４の位置がくる様に内管６の案内溝１１と中程に、止め具１４所の管の軸に対して直角に可動できる穴１３を設ける。
また、案内溝１１の上部は、ほぼＶ字形にして外観５の案内キー１０が挿入しやすい様に形成する。
止め具１４とスプリング１５の一端を一体に組合わせて作る。他の一端は止め具１４が内管の外側に常に押し出されている様に内管５の内側にビス等で取付け固定する。
【０００７】
ステッキとして使用する場合、クリップ部の外管と支柱上部とで挿入組合わせた時、最初、外管の案内キーは、内管の案内溝のほぼＶ字形の所に挿入されて誘導され案内溝の奥の方にまで通って行き、止め具を過ぎる所で止め具が内側より外に向かって押し出され、挿入を中止ると止め具によりグリップ部のはずれ止めが行われる。
この時点で、衝撃吸収用のスプリングは、グリップ部外管と支柱上部の受台の間に設備される。このスプリングの設定位置をスプリングの自由長以外の弱い所、または、自由長の最初当たりに設定すれば、ステッキに最初、弱い荷重が加わった時は、柔らかいクッション作用を起こし、強い荷重が加わった時は自由長の範囲に入り、スプリングは強くなり、強い衝撃に受けて立つ事が出来る。この様にして、人の使用時、衝撃の強さに応じて衝撃を柔らげる衝撃吸収の効果は大きい。
なおかつ、よりよく良くするならば、この中にある衝撃吸収用スプリングは、弱いスプリングと強いスプリングを２重に配設しても良い。
【０００８】
また、グリップ部と支柱を外す時は、止め具を管の内側に押せば衝撃吸収用のスプリングの弱い所に設定されている故、弱いスプリングの力で押し戻され、強い衝撃を受けることなくスムースにグリップ部を支柱上部より取り外す事が出来る。
【０００９】
ステッキとして使用時、特に登山中や平地でも、ステッキに強い衝撃が加わった時には支柱に挿入されているグリップ部の外管は長い為、外管上部の案内キーと内管の案内溝、外管下部のスライド溝と内管の止め具で横方向の動きは固定され、支柱の軸方向には衝撃の強さに応じて可動する。この様にして、グリップの緩み等で回転ずれを起こさず非常に安定している。
ステッキのグリップ部を外した時は、支柱上部に設置されている受台はカメラまたは雲台を取り付けたられるオネジが在る故、登山やハイキングおよび散歩中において、地面にステッキを突き刺してカメラまたは雲台を取り付ければ、カメラ１脚として使用できる。
また。取り外れたグリップ部の後部にある受台廻し治を具を用いて受台を取り外したり、取付けたりする事が出来るので筒の小物入れの場所に、登山やハイキング中において非常用のマッチ等を収納するしておく事ができ、非常に便利である。
【００１０】
図３の３−３に示す如く、グリップ部２内の衝撃吸収用スプリング７の下の座金は取り外し、受台９上部のカメラまたは雲台を取り付け用オネジとボルト頭部の六角ネジとの間に段付きのスプリング受け部２３を作り、この段付き部分にスプリング７の下端部分を嵌め込む様にしてスプリング可動時の安定をはかっても良い。カメラまたは雲台を取り付ける時は、この段付きの部分のスプリング受け部２３に相当する座金を嵌めこめば、使用できる。
また、図３の３−４に示す如く、カメラを使用しないで小物入れだけを使用する人は、受台９の取り付け取り外しが容易な様に受台９の下側のオネジと内管の上部のメネジを無くし、隙間のあるハメアイ形式にし、また、受台９の上部は、カメラまたは雲台を取り付けるオネジを取り去り、ツマミ兼スプリング安定用受部２４に変わるよう製作すれば、小物入れのふたの開閉およびスプリングの可動時の安定が容易になる。
スプリング１５の取付けは、スポット溶接または内管に嵌め込み加工して固定してもよい。
【００１１】
図４に示すス如く、ステッキの突石部２１は、突石管２６の最下端に筒状で、ほぼ丸みの突石２７を、また、その上部にゴム止め金具２８を取付ける。この突石２７を覆う様に筒状で低部が丸みの少ない突石ゴム２９を嵌めこみ取り付ける。
突石ゴム２９は、低部に近い中側の所に、使用時、突石２７が突石ゴムを突き破らない様に突石受３０とゴム止め金具２８の付近にあたる所に突石ゴムが落ちない様にゴム筒内側に取付け窪みを成型する。
【００１２】
ステッキの突石部２１は、平地面で地面の柔らかい所やハイキングおよび登山等で、ステッキを用いて突石を地面に刺し込み、受台９にカメラまたは雲台に取付け、カメラ用１脚として使用できる。また、平坦地の硬い所では突石ゴムを突石に被せ取り付ければ滑り止めとなる。
以上の様に用途が広がる機能を持っている特徴がある。
【００１３】
【発明の効果】
以上、述べた様に、本発明の効果は、市街地のような地面の固い場所または野山の様な場所でも簡単にグリップ部と支柱部を取付けたり取り外したりする事が出来る、この事は、ステッキとして使用時には、ステッキに荷重が加わった場合、その荷重に応じて縦方向の衝撃を吸収し、人体への悪影響を少なくする。横方向も回転方向による横ずれもなく安定して使用できる。
それに加え、グリップ部と支柱部を取り外せば、カメラまたは雲台を取付ける事によりカメラ用１脚として使用できる。
また、受台を取付け取り外しする事により小物入れとしても利用できる
突石部は、地面の固い所は突石ゴムで滑り止めに、登山やハイキング等では、突石に変えた使用する。
この様に、ステッキとして使いやすさと安全性を持ち、他用途にも使用できる多くの特徴を持っている。
【図面の簡単な説明】
【図１】ステッキのグリップ部と支柱上部の挿入組合せ図（実地例１）
【図２】ステッキのグリップ部と支柱部上部の各々部品組み立て図（実施例２）
【図３】ステッキの支柱上部受台の改造図（実地例３）
【図４】ステッキの総体図（実施例４）
【符号の説明】
１    ステッキ
２    グリップ部
３    支柱上部
４    グリップ
５    外管
６    内管
７    衝撃吸収用スプリング
９    受台
１４    止め具
１５    スプリング
１７    筒
２１    突石部
２７    突石
２９    突石ゴム
３０    突石受け
【図１】
2004254951.tif 000003
【図２】
2004254951.tif 000004
【図３】
2004254951.tif 000005
【図４】
2004254951.tif 000006